(57)【特許請求の範囲】
【請求項１】
筐体と、
前記筐体に形成された開口部に交換可能に取り付けられた端子板と、
前記端子板に形成された端子の周囲に配された止水部材とを備え、
前記開口部の内部に、開口中心を取り巻いて前記開口中心に向かって突出した鍔部が形成され、前記端子板が前記鍔部に載置されたとき、前記端子板の外側表面が、前記開口部が形成された部分の前記筐体の表面と同一面上に位置し、
前記端子板に形成された端子を覆い、前記止水部材に当接した状態で保持される蓋体をさらに備え、前記止水部材が前記端子板の外周部分を覆っており、
前記蓋体は、一端部が前記筐体に固着されるとともに前記止水部材と当接する蓋部と、前記蓋部に対して前記一端部から遠ざかる方向および前記一端部に近づく方向に変位可能なスライド部とを有し、
前記止水部材には、止水部材側開口部が形成され、
前記端子板には、固着突起が形成され、
前記止水部材側開口部からは前記筐体側から前記蓋体側に向かって前記固着突起が突出し、
前記スライド部の両側面には、係合片が形成され、
前記スライド部が前記一端部から遠ざかる方向に変位して、前記係合片が前記固着突起と係合し、前記蓋体が前記止水部材に当接して押圧された状態で保持されることを特徴とする電子機器。
【請求項２】
前記止水部材は、前記開口部の内部に形成された鍔部と、前記端子板の前記鍔部に対向する部分との間に配置されている請求項１に記載の電子機器。
【請求項３】
前記止水部材が、両面に接着性を備えたシート部材である請求項２に記載の電子機器。
【発明の詳細な説明】
【技術分野】
【０００１】
本開示は、防水性、防塵性が高められた電子機器に関する。
【背景技術】
【０００２】
近年、ノートパソコンなどの電子機器は、屋外において様々な環境で使用されることを考慮し、防水性、防滴性、防塵性を高めたものが登場してきている。このような電子機器において、ケーブル等を接続するために外部に露出している端子部は、液体や埃等が付着すると電子機器の故障につながる可能性があるため、端子部を覆う蓋体を設けた構成とされることがある。
【０００３】
また、ノートパソコンなどの電子機器において、基本の情報処理能力を確保した上で、使用者が自身の使用目的にあった機能を果たすことができるようにカスタマイズ化することを可能としたものが提案されている。このような電子機器のカスタマイズ化を行う上では、電子機器の入出力端子を自己の使用目的にあったものに変更できる拡張性を備えることが重要である。このような拡張性を備えた入出力端子として、各種のコネクタに対応した接続端子を交換可能に搭載することが考えられる。
【０００４】
拡張性を有する入出力端子であって防塵性と防水性とを備えたものとして、例えば、風雨に曝される環境に配置されるパラボラアンテナ用のトランスミッタとして、筐体内の回路基板に中間コネクタを接続し、この中間コネクタに筐体外部に露出して配置される外部コネクタを備える電子機器が特許文献１で提案されている。この従来の電子機器は、外部コネクタとして信号伝送線の規格に対応させたＮ型とＦ型の両方のコネクタを使用することができるので、中間コネクタ部分で防水性、防塵性を確保して、接続端子の拡張性とを備えるものである。
【先行技術文献】
【特許文献】
【０００５】
【特許文献１】特開２００７−０６６５９２号公報
【発明の概要】
【発明が解決しようとする課題】
【０００６】
特許文献１に開示されている構成は、電子機器の筐体に水密性を保って中間コネクタを配置しているため、外部から雨水などが浸入することを防止することができる。しかし、中間コネクタに外部コネクタを接続し、さらに外部コネクタにアンテナケーブルが常に接続されていることが前提となって水密性を確保している。このため、必要に応じて適宜外部の機器との間を接続するケーブルのコネクタが接続される接続端子を備えたパソコンなどの電子機器の端子部に応用することはできない。
【０００７】
本開示は、拡張性を高めるために交換可能な接続端子部において、防水性および／または防塵性を確保することができる電子機器を得ることを目的とする。
【課題を解決するための手段】
【０００８】
本開示の電子機器は、筐体と、筐体に形成された開口部に交換可能に取り付けられた端子板と、端子板に形成された端子の周囲に配された止水部材とを備え、開口部の内部に、開口中心を取り巻いて開口中心に向かって突出した鍔部が形成され、端子板が鍔部に載置されたとき、端子板の外側表面が、開口部が形成された部分の筐体の表面と同一面上に位置し、端子板に形成された端子を覆い、止水部材に当接した状態で保持される蓋体をさらに備え、止水部材が端子板の外周部分を覆っており、蓋体は、一端部が筐体に固着されるとともに止水部材と当接する蓋部と、蓋部に対して一端部から遠ざかる方向および一端部に近づく方向に変位可能なスライド部とを有し、止水部材には、止水部材側開口部が形成され、端子板には、固着突起が形成され、止水部材側開口部からは筐体側から蓋体側に向かって固着突起が突出し、スライド部の両側面には、係合片が形成され、スライド部が一端部から遠ざかる方向に変位して、係合片が固着突起と係合し、蓋体が止水部材に当接して押圧された状態で保持される。
【発明の効果】
【０００９】
本開示の電子機器は、拡張性を備えた端子板を、開口部の内部に開口中心を取り巻いて形成された鍔部に載置したときに、端子板の外側表面が筐体の表面と同一面上に位置している。このため、端子板の外側に止水部材を配置する場合でも、端子板の内側に止水部材を配置する場合でも、着脱可能な端子板の周囲部分から筐体内部に水などが入り込むことを防止でき、拡張性と、防水性および／または防塵性とを備えた電子機器を得ることができる。
【図面の簡単な説明】
【００１０】
【図１】本実施の形態にかかるノートパソコンの概略構成例を示す斜視図である。
【図２】実施の形態１にかかるノートパソコンの端子部を示す視野図である。
【図３】実施の形態１にかかるノートパソコンの端子部の、蓋体に形成された開口と着脱可能な端子板との構成を示す図である。
【図４】実施の形態１にかかるノートパソコンの端子部の、蓋体に形成された開口に端子板が装着された状態を示す図である。
【図５】実施の形態１にかかるノートパソコンの端子部の、端子板上に止水部材が配置される状況を示す図である。
【図６】実施の形態１にかかるノートパソコンの端子部の構成を示す要部断面図である。
【図７】実施の形態１にかかるノートパソコンの端子部の、端子板の周辺部分の構成を説明するための要部拡大断面図である。
【図８】実施の形態１にかかるノートパソコンの端子部の別の構成の蓋体を示す斜視図である。
【図９】実施の形態２にかかるノートパソコンの端子部の、蓋体に形成された開口と着脱可能な端子板との構成を示す図である。
【図１０】実施の形態２にかかるノートパソコンの端子部の、端子板の周辺部分の構成を説明するための要部拡大断面図である。
【発明を実施するための形態】
【００１１】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１２】
なお、発明者らは、当業者が本開示を十分に理解するために添付図面および以下の説明を提供するのであって、これらによって特許請求の範囲に記載の主題を限定することを意図するものではない。
【００１３】
（実施の形態１）
図１は、本実施の形態にかかる電子機器の一例であるノートパソコンの外観を示す斜視図である。なお、本実施の形態では、電子機器の一例としてノートパソコンを挙げたが、電子機器は、少なくとも交換可能でかつ、防水性および／または防塵性を確保された端子部を備える機器であればよい。そして、本実施の形態におけるノートパソコンは、端子部を覆って防水性および／または防塵性を確保する蓋体を備えている。
【００１４】
図１に示すように、ノートパソコンは、第１の筐体１と第２の筐体２とを備えている。
【００１５】
第１の筐体１は、電気回路素子が実装された回路基板やハードディスクドライブなどのノートパソコンが内蔵する既知の各種デバイスを内蔵しているが、図示並びに詳細な説明は省略する。
【００１６】
第２の筐体２は、表示素子の一例として液晶ディスプレイ４を備えている。第１の筐体１と第２の筐体２とは、ヒンジ部３によって互いに回動自在に支持されている。ヒンジ部３は、第１の筐体１と第２の筐体２とを矢印ＡまたはＢに示す方向へ回動自在に支持する回転軸を備えている。ノートパソコンの実使用状態における第１の筐体１の上面１ａには、キーボード５とポインティングデバイス６とが配されている。第１の筐体１の側面１ｂには、端子部１０が配されている。なお、以下本明細書においては、ノートパソコンの実使用状態に基づいて、第１の筐体１のキーボード５が配置されている方向を上方として各構成要素の説明に適宜用いることとする。
【００１７】
図２は、端子部１０の斜視図である。端子部１０は、第１の筐体１の側面１ｂに配置された後述する端子板３０に形成された３つの端子３１（３１ａ、３１ｂ、３１ｃ）を備えている。端子３１の配置部分にそれぞれ対応し、第１の開口５１（５１ａ、５１ｂ、５１ｃ）を有する止水部材５０が配置されている。止水部材５０には、第２の開口５２が形成されている。第２の開口５２から、端子板３０に形成された先端部が鈎状の固着突起３２が突出している。また、止水部材５０の図２における左右方向両端部には、切り欠き５３が形成されていて、切り欠き５３からは、第１の筐体１に形成された先端部が鈎状の固着突起２７が突出している。
【００１８】
第１の筐体１には、図２に示す矢印Ｃまたは矢印Ｄ方向に回動可能に固着され、端子３１ａ、３１ｂおよび３１ｃをそれぞれ覆う３つの蓋体４１、４２、４３が配置されている。
【００１９】
３つの蓋体４１、４２、４３は、それぞれ第１の筐体１に一端部で固着された蓋部４１ａ、４２ａ、４３ａと、蓋部４１ａ、４２ａ、４３ａに対して一端部から遠ざかる方向（図２における矢印Ｅ方向）と、一端部に近づく方向（矢印Ｆ方向）に変位可能なスライド部４１ｂ、４２ｂ、４３ｂとを備えている。
【００２０】
蓋体４１、４２、４３が図２中の矢印Ｃ方向に回動して、蓋部４１ａ、４２ａ、４３ａの止水部材５０に対向する側に形成された矩形枠状のリブ４１ｄ、４２ｄ、４３ｄが、止水部材５０における開口部５１（５１ａ、５１ｂ、５１ｃ）の周囲に当接する。この状態で、それぞれの蓋体４１、４２、４３において、スライド部４１ｂ、４２ｂ、４３ｂを図２中の矢印Ｅ方向にスライドすることで、スライド部４１ｂ、４２ｂ、４３ｂに形成された凸部４１ｃ、４２ｃ、４３ｃがそれぞれ対応する第１の筐体１に形成された凹部２６に嵌入される。また、スライド部４１ｂ、４２ｂ、４３ｂに形成された係合部４１ｅ、４２ｅ、４３ｅが固着突起２７および３２に係合することで、蓋体４１、４２、４３が止水部材５０に当接した状態で保持されるロック状態となる。
【００２１】
止水部材５０が一定の弾力を有しているため、ロック状態の蓋体４１、４２、４３にそれぞれ形成されたリブ４１ｄ、４２ｄ、４３ｄが止水部材５０に圧着されて、３つの端子３１ａ、３１ｂ、３１ｃが防水性および／または防塵性を確保した状態で遮蔽される。
【００２２】
次に、本実施の形態のノートパソコンにおける端子部の構成を詳細に説明する。
【００２３】
図３は、本実施の形態のノートパソコンの端子部の、第１の筐体に形成された凹所部分と、交換可能に固着される拡張性を備えた端子板の構成を示す斜視図である。
【００２４】
図３に示すように、本実施の形態のノートパソコンの第１の筐体１の側面１ｂには、底面２１と側面２２とを有する凹所が形成されていて、凹所の底面２１に開口部２３が形成されている。開口部２３の周囲には、凹所の底面２１よりも第１の筐体１の内部側に一段低くなった位置に、開口中心を取り巻くように開口部２３の全周に渡って、開口中心側に突出した鍔部２４が形成されている。鍔部２４の四隅には、ねじ穴２５が形成されている。
【００２５】
蓋体４１、４２、４３は、第１の筐体１に、回動可能に固着されている。また、蓋体４１、４２、４３は、それぞれ対応する端子３１ａ、３１ｂ、３１ｃを覆う遮蔽位置でロックできるように、蓋体４１、４２、４３の先端部に突起部４１ｃ、４２ｃ、４３ｃが形成されている。この突起部４１ｃ、４２ｃ、４３ｃを嵌入する凹部２６が、第１の筐体１における凹所の上側の側面２２に形成されている。また、両端部に位置する蓋体４１および４３の側面部分に形成された係合部４１ｅ、４３ｅと係合する先端部が鈎状となった固着突起２７が、凹所の底面２１に形成されている。
【００２６】
開口部２３を覆うように取り付けられる端子板３０は、３つの端子３１ａ、３１ｂ、３１ｃが配置されている。なお、本実施の形態において、端子３１それぞれの内部に形成される電極端子や樹脂製の枠体の構成は、図示および詳細な説明を省略する。端子板３０の四隅部に形成されたねじ穴３３と、第１の筐体１の開口部２３に備わる鍔部２４の四隅に形成されたねじ穴２５とを用いて、開口部２３内の鍔部２４上に載置された端子板３０は、第１の筐体１の凹所内にねじ３４によってねじ止めされる。このように、端子板３０は、第１の筐体１の開口部２３に対して交換することができる。
【００２７】
図４は、第１の筐体１の側面１ｂに形成された凹所の底面２１に、端子板３０が固着された状態を示している。
【００２８】
端子板３０の厚さは、凹所の底面２１に形成された開口部２３の外周に備える鍔部２４の形成深さと同じとなっている。このため、端子板３０を鍔部２４に載置した状態で、端子板３０の外側表面は、凹所の底面２１と同一平面上に位置する。すなわち、端子板３０が凹所の開口部２３の外周に配置され固着された状態で、端子３１は、凹所の底面２１と同じ面に配置されていることになる。また、端子板３０に形成された固着突起３２は、第１の筐体１の凹所の底面２１に形成された固着突起２７と同一面上に配置され、その先端部の位置も同じ高さとなる。なお、固着突起２７を形成した端子板３０の外側表面と、第１の筐体１に形成された凹所の底面２１とが同一面上に位置するとは、実際の製品における実用上同じ高さにあるということであり、２つの平面同士が厳密に同一平面を構成する状態のみを示すものではない。
【００２９】
図５に示すように、第１の筐体１に形成された凹所の底面２１と、端子板３０の外側表面とを覆うように、止水部材５０が固着される。止水部材５０は、蓋体４１、４２、４３が閉塞位置でロックされたときに、防水性および／または防塵性を確保し得るように、所定の弾性を有する部材で形成される。また、止水部材５０は、止水部材５０の裏面側、すなわち、第１の筐体１と対向する側の面に塗布された接着剤、または、貼着された両面テープなどにより、凹所の底面２１と端子板３０の外側表面とに固着される。この止水部材５０は、端子３１に対する防水性を確保できる材料で形成され、例えばシリコーン発泡体で形成することができる。止水部材５０は、凹所の底面２１と端子板３０の外側表面とに接着テープなどで接着した構成とすることができるが、止水部材５０と凹所の底面２１および端子板３０との間から少なくとも液体が進入するのを防ぐため、防水性がある接着手段により接着する。なお、本実施の形態では、止水部材との名称を用いているが、「止水部材」は、その名称に関わりなく水に限らず様々な液体あるいは固体の進入を阻止できる機能まで含む部材を意味する。すなわち、止水部材は、防水性（防液性、防滴性）や防塵性を備えている部材であり、止水部材を用いて端子板３０の端子３１を蓋体４１、４２、４３で覆うことにより、端子３１内部に液体や異物等が進入して、端子３１が電気的にショートを起こしてしまうことを防ぐことができる。
【００３０】
止水部材５０は、３つの端子３１ａ、３１ｂ、３１ｃの配置位置に合わせて、３つの端子３１ａ、３１ｂ、３１ｃにそれぞれ対応するケーブルのコネクタが装着できるだけの裕度を持って、第１の開口５１（５１ａ、５１ｂ、５１ｃ）が形成されている。また、止水部材５０は、端子板３０に形成された固着突起３２が突出できる２つの第２の開口５２が形成され、第１の筐体１の凹所の底面２１に形成された２つの固着突起２７が突出できる止水部材５０の左右両端部にそれぞれ切り欠き５３が形成されている。
【００３１】
第１の筐体１の側面１ｂに形成された凹所の底面２１と、凹所の底面２１に形成された開口部２３を塞ぐように固着された端子板３０の外側表面とを覆う止水部材５０が貼着されることで、図２に示す端子部１０が構成される。
【００３２】
図６は、ノートパソコンの端子部１０の構成を示す要部拡大断面図である。図６は、端子部１０に配置された端子板３０において、第１の筐体１の上面１ａに平行方向（すなわち、図２中の横方向）の中心線部分の断面構成を示している。
【００３３】
図６に示すように、端子板３０は、第１の筐体１の凹所の底面２１に形成された開口部２３を塞ぐように、鍔部２４上に載置され固着されている。止水部材５０は、凹所の底面２１と端子板３０の外側表面が形成する面を覆うように配置されている。
【００３４】
止水部材５０に形成された第１の開口５１（５１ａ、５１ｂ、５１ｃ）は、それぞれ対応する端子板３０に形成された端子３１（３１ａ、３１ｂ、３１ｃ）に接続されるコネクタの大きさ分の裕度を持って、端子３１の大きさよりも少し大面積となるように形成され  ている。止水部材５０は、第１の筐体１の凹所の底面２１と、端子板３０との境界部分を覆うように、言い換えると端子板３０の外周部分を覆うように配置されている。端子板３０に形成した固着突起３２は、止水部材５０の第２の開口５２を貫通し、凹所の底面２１に形成した固着突起２７は、止水部材５０の切り欠き５３を貫通し、固着突起３２および固着突起２７それぞれは底面２１から同じ高さに形成されている。
【００３５】
図７は、図６における領域Ｇの部分を示し、第１の筐体１の凹所の底面２１と端子板３０および止水部材５０との配置関係をより詳細に示す要部拡大断面図である。
【００３６】
図７に示すように、底面２１に形成された開口部２３の内部には、一定の形成深さを隔てて鍔部２４が形成されている。このため、第１の筐体１と端子板３０との境界部は、第１の筐体１の外側（底面２１側）に面した部分と端子板３０の内部側（開口部２３の内部側）に面した部分とで一直線とはならず、第１の筐体１に形成された凹所の底面２１に垂直な方向の部分（図７中Ｈ部分）と、底面２１の面に対して平行方向の部分（図７中Ｉ部分）とにより構成され、いわゆるクランク状となっている。そして、第１の筐体１の凹所の底面２１と端子板３０の外側表面とが同一面内に形成されているため、第１の筐体１と端子板３０との境界部分は、確実に止水部材５０で覆われている。このように、ノートパソコンの接続部１０では、端子板３０の外側表面と開口部２３が形成された第１の筐体１の底面２１の表面とが同一面上にあり、端子板３０の外周部分である第１の筐体１との境界部分が止水部材５０で覆われている。このため、第１の筐体１の凹所の底面２１における開口部２３の内径と端子板３０の外径との間に、端子板３０を交換するためのわずかな隙間があるにもかかわらず、良好な防水性および／または防塵性を確保することができる。したがって、ノートパソコンの端子部１０は、高い防水性および／または防塵性を保持しながら、端子３１が形成された端子板３０を他の種類と交換することで所望の端子を備えることができる。
【００３７】
なお、実施の形態では、３つの端子３１を含む端子板３０を交換することができる端子部１０を例示して説明したが、端子部１０は、例えば、それぞれが一つの端子を備える端子板を、第１の筐体１の凹所の底面に形成された１または２以上の開口部に交換可能に固着する構成などができる。
【００３８】
また、図８に示すように、３つの端子３１（３１ａ、３１ｂ、３１ｃ）を備えた端子板３０を、１つの幅広の蓋体６１を用いて、３つの端子３１を一度に覆う端子部１０’の構成とすることもできる。この構成においても、蓋体６１は、図２を用いて説明した蓋体４１、４２、４３と同様に、一端部が第１の筐体１に回動可能に固着され、止水部材５０’に当接する矩形枠状のリブ６１ｄを備えた蓋部６１ａと、この蓋部６１ａに対して変位可能に配置されたスライド部６１ｂとを有している。そして、スライド部６１ｂの先端部に形成された凸部６１ｃと第１の筐体１に形成された凹部２６とに係合すると同時に、スライド部６１ｂの側面に形成された係合部６１ｅと第１の筐体１に形成された係合凸部２７とに係合することによって、蓋体６１を第１の筐体１に対してロック状態とすることができる。
【００３９】
また、端子を覆う蓋体として、第１の筐体に一端部が固着された蓋部と、蓋部に対して変位可能なスライド部とを有するものを例示したが、蓋体の形状は上記のものに限られない。端子を覆ってその周囲の止水部材に当接した状態で保持できる構成であれば、蓋体の開閉機構やそのロック機構には、何らの限定もなく、電子機器に求められる防水性および／または防塵性を満たす範囲内において、各種の構成を採用することができる。
【００４０】
なお、本実施の形態では、止水部材５０や５０’を、シリコーン発泡体で形成したが、少なくとも復元性を有する弾性を有し、液体の進入を防ぐことができる材料であればよい。止水部材５０は、防水性および／または防塵性を確保するために、一体材料で形成することができる。止水部材５０は、復元性を備える弾性を有する材料として、シリコーンゴム、ニトリルゴム等を用いてもよい。
【００４１】
また、本実施の形態では、シリコーン発泡体で形成された止水部材を備える構成としたが、シリコーン発泡体は一般的に外部からの衝撃に対する耐性はそれほど高くはない。したがって、止水部材の表面に保護膜を設ける構成とすることができる。
【００４２】
（実施の形態２）
以下、実施の形態２について説明する。
【００４３】
本実施の形態のノートパソコンは、筐体に形成された開口部に交換可能に取り付けられた端子板を備えるが、端子板を覆う蓋体を備えない構成のものである。
【００４４】
図９は、本実施の形態にかかるノートパソコンにおける端子部の構成を示す。なお、図９は、実施の形態１において、第１の筐体１に形成された開口部２３と、開口部２３に取り付けられる端子板３０とを説明した図３に相当する図である。
【００４５】
図９に示すノートパソコンでは、端子板７０に配置された端子７１、７２が防水性を備え、この端子板７０が端子部１０”に取り付けられる。
【００４６】
図９に示すように、ノートパソコンにおいても、第１の筐体１の側面１ｂには、底面２１”と側面２２”とを有する凹所が形成されていて、凹所の底面２１”に開口部２３”が形成されている。開口部２３”の周囲には、凹所の底面２１”よりも第１の筐体１の内部側に一段低くなった位置に、開口中心を取り巻くように開口部２３”の全周に渡って、開口部２３”中心側に突出した鍔部２４”が形成されている。鍔部２４”の四隅には、ねじ穴２５が形成されている。
【００４７】
開口部２３”を覆うように交換可能に取り付けられる端子板７０には、２つの端子７１および７２が配置されている。本実施の形態の端子板７０に配置される端子７１および７２は、例えばＡＣアダプタ用端子や、拡張コネクタ端子などであり、端子部分からの水の侵入が防がれている防水性を備えた端子である。端子板７０の四隅部にはねじ穴７３が形成されていて、端子板７０のねじ穴７３と、第１の筐体１の開口部２３”に形成された鍔部２４”の四隅に形成されたねじ穴２５とを用いている。開口部２３”内の鍔部２４”上に載置された端子板７０は、第１の筐体１の凹所内にねじ７４によってねじ止めされる。
【００４８】
端子板７０と開口部２３”の内部に形成された鍔部２４”との当接面部分には、第２の止水部材７５が配置される。第２の止水部材７５は、端子板７０において鍔部２４”と対向する部分、すなわち、端子板７０の裏側表面の周辺部と、鍔部２４”の端子板７０側の表面との間に挟持されて、端子板７０と鍔部２４”との間から第１の筐体１の内部に水や埃が進入することを防ぐ。
【００４９】
図１０は、本実施の形態にかかるノートパソコンの、第１の筐体１の凹所の底面２１”と端子板７０、止水部材７５の配置関係をより詳細に示す要部拡大断面図である。なお、図１０は、実施の形態１の説明における図７に相当する図面である。
【００５０】
図１０に示したように、底面２１”に形成された開口部２３”の内部は、一定の形成深さを隔てて鍔部２４”が開口中心に向かい突出して形成されている。このため、実施の形態１の場合と同様に、第１の筐体１と端子板７０との境界部は、第１の筐体１の外側に面した部分と内部側に面した部分とで一直線とはならず、第１の筐体１に形成された凹所の底面２１”に垂直な方向と、底面２１”の面方向との２つの方向を有する、いわゆるクランク状となっている。そして、本実施の形態にかかるノートパソコンの端子部１０では、クランク状となっている第１の筐体１と端子板７０とが形成する境界線の内、底面２１”の面方向に延在する部分に第２の止水部材７５が配置されている。このことで、第１の筐体１の外部と内部とをつなぐ、水や埃の進入路を遮ることができる。このため、第１の筐体１の凹所の底面２１”の開口部２３”の内径と端子板７０の外径との間に、端子板７０を交換可能とするために必要な隙間が形成されていても、防水性および／または防塵性を備えたノートパソコンを実現することができる。
【００５１】
第２の止水部材７５は、両面に接着性を備えたシート部材、例えば両面テープを用いることができる。両面テープであれば、鍔部２４”と端子板７０との間隙をなくすように作用するために、薄い部材であっても所定の防水性を実現することができる。また、第２の止水部材７５として、実施の形態１での止水部材５０と同様に、防水性を確保できる材料であるシリコーン発泡体のシートなどを用いることもできる。
【００５２】
以上説明したように、本実施の形態のノートパソコンにおいても、端子７１、７２が形成された端子板７０を交換することで、所望の端子を備えることができる拡張性を有するとともに、端子部１０”での高い防水性、防塵性を実現することができる。
【００５３】
なお、図９および図１０においては、本実施の形態では蓋体を備えないため、第１の筐体１に形成された蓋体をロック状態で保持するための凹部２６や固着突起２７が形成されていない状態の構成を示した。しかし、例えば蓋体をねじ止め等によって第１の筐体１に固着することができる場合のように、不要であれば蓋体を容易に取り外すことができる構成の場合には、開口部２３”に配置される端子板７０として、実施の形態１で説明した蓋体で覆われて防水性を得ることができる端子を備えた端子板３０と、本実施の形態で説明した防水性を備えた端子を備えた端子板７０とをいずれも使用可能とするために、凹部２６や固着突起２７を第１の筐体１に形成しておいてもよい。この場合には、幅広いバリエーションの中から所望の端子を備えた電子機器を得ることができ、非常に高い拡張性を実現することができる。
【００５４】
以上の２つの実施の形態の説明において、端子板３０、７０を固着する開口部２３、２３”を、第１の筐体１の側面１ｂに形成された凹所の底面２１、２１”に設けたものを例示したが、端子板３０、７０を固着する開口部２３、２３”は、凹所を設けずに第１の筐体１の側面１ｂに設けてもよいし、第１の筐体を構成する他の面に設けてもよい。
【００５５】
また、開口部の形状、すなわち端子板の外形形状を、角部がわずかに曲線で接続された略矩形状の構成として示したが、端子板の形状は、形成される端子の大きさや形状、端子板上の配置位置、さらには、第１の筐体内の他の電子デバイスの配置状態などに応じて、適宜所望の形状とすることができる。さらに、開口部の内部に形成される鍔部として、突出幅が開口の内周の全てでほぼ同じものとして示したが、鍔部の突出幅は、開口部の周方向において均一なものに限られず、端子板の形状や端子板の裏側に突出する端子の形状、さらには、第１の筐体内部に配置される他の電子デバイスとの干渉を防止する観点から、適宜定めることができる。この場合において、開口部の内側の全周において鍔部が形成させることができるが、第１の筐体１内部の他の電子デバイスとの干渉などが原因で全周に形成できない場合には、その部分で防水性および／または防塵性が損なわれない範囲内において、わずかに鍔部が形成されない部分を設けることもできる。
【００５６】
また、以上２つの実施の形態では、電子機器の一例としてノートパソコンを挙げたが、少なくとも筐体に形成された開口部と、この開口部に交換可能に取り付けられた端子板と、端子板の端子を覆う蓋体を備えた機器であればよい。例えば、携帯電話端末、携帯型ゲーム機、デジタルカメラ、その他ポータブルナビゲーションその他の電子機器に搭載される各種端子に適用可能である。
【００５７】
本開示にかかる電子機器は、筐体と、筐体に形成された開口部に交換可能に取り付けられた端子板と、端子板に形成された端子の周囲に配された止水部材とを備え、開口部の内部に、開口中心を取り巻いて開口中心に向かって突出した鍔部が形成され、端子板が鍔部に載置されたとき、端子板の外側表面が、開口部が形成された部分の筐体の表面と同一面上に位置する。
【００５８】
本開示の電子機器は、端子が形成された端子板が筐体の開口部に交換可能に取り付けられているため、使用者が必要に応じて選択した端子を電子機器に装備させることができる。また、端子板を開口部の内部に開口中心を取り巻いて形成された鍔部に載置したときに、端子板の外側表面が筐体の表面と同一面上に位置しているため、端子板の外側に止水部材を配して蓋体で端子を覆う構成とする場合も、端子板の内側に止水部材を配する場合においても、着脱可能に形成したために生じる端子板の周囲部分の隙間から、筐体内部に水などが入り込むことを防止でき、拡張性と、防水性および／または防塵性とを備えることができる。
【００５９】
また、上記の電子機器において、端子板に形成された端子を覆い、止水部材に当接した状態で保持される蓋体をさらに備え、止水部材が端子板の外周部分を覆うことができる。このようにすることで、蓋体が当接する止水部材が、端子板と筐体との境界部分を覆うことができるので、高い防水性および／または防塵性を得ることができる。
【００６０】
また、蓋体は、一端部が筐体に固着されるとともに止水部材と当接する蓋部と、蓋部に対して一端部から遠ざかる方向および一端部に近づく方向に変位可能なスライド部とを有し、スライド部が一端部から遠ざかる方向に変位して、蓋体が止水部材に当接した状態で保持される。このようにすることで、蓋体を回動させてスライド部をスライドさせるという一連の動作で、蓋体を止水部材に当接させた状態で保持でき、端子部の防水性および／または防塵性を確保することができる。
【００６１】
さらに、止水部材は、開口部の内部に形成された鍔部と、端子板の前記鍔部に対向する部分との間に配置されている構成もできる。このようにすることで、筐体と端子板との境界部分からの水などの進入を効果的に防止することができる。
【００６２】
この場合において、止水部材が、両面に接着性を備えたシート部材である構成もできる。
【００６３】
以上のように、本開示における技術の例示として、実施の形態を説明した。そのために、添付図面および詳細な説明を提供した。
【００６４】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００６５】
また、上述の実施の形態は、本開示における技術を例示するためのものであるから、特許請求の範囲またはその均等の範囲において種々の変更、置き換え、付加、省略などを行うことができる。
【産業上の利用可能性】
【００６６】
本開示の電子機器は、所望の端子が形成された端子板を交換可能に取り付けることができる各種の機器に有用である。
【符号の説明】
【００６７】
１  第１の筐体（筐体）
２１  底面（開口部が形成された部分の筐体の表面）
２３  開口部
２４  鍔部
３０  端子板
３１（３１ａ、３１ｂ、３１ｃ）  端子
４１、４２、４３  蓋体
【図１】
0005906474.tif 000002
【図２】
0005906474.tif 000003
【図３】
0005906474.tif 000004
【図４】
0005906474.tif 000005
【図５】
0005906474.tif 000006
【図６】
0005906474.tif 000007
【図７】
0005906474.tif 000008
【図８】
0005906474.tif 000009
【図９】
0005906474.tif 000010
【図１０】
0005906474.tif 000011